(57)【要約】【課題】圧排圧を直接測定することができるとともに、従来の脳ヘラと同一形状及び寸法を維持して視野及び空間を確保することができ、さらには熱の影響による補正も不要な、脳圧排圧測定装置を得る。【解決手段】厚さ約０．２ｍｍ程度のフィルム状の感圧センサを当該感圧センサの厚さと形状を有した溝を脳ヘラの片面に切削して埋設及び接着して形成した感圧センサ付脳ヘラと、前記感圧センサから出る信号を変換して圧排圧を算出し、該圧排圧をモニタ表示するための表示器と、予め設定した圧排圧を超えた場合にアラームを発する警報器と、前記圧排圧の測定データを保存するためのメモリ等を具備した測定装置とにて構成する。【選択図】図１
2012210392.tif 000002
【特許請求の範囲】
【請求項１】
厚さ約０．２ｍｍ程度のフィルム状の感圧センサを当該感圧センサの厚さと形状を有した溝を脳ヘラの片面に切削して埋設及び接着して形成した感圧センサ付脳ヘラと、前記感圧センサから出る信号を変換して圧排圧を算出し、該圧排圧をモニタ表示するための表示器と、予め設定した圧排圧を超えた場合にアラームを発する警報器と、前記圧排圧の測定データを保存するためのメモリ等を具備した測定装置とにて構成することを特徴とした、脳圧排圧測定装置。
【請求項２】
感圧センサは、上下２層の細長いフィルムから成り、各フィルムの先端部表面には電極を設け、該電極と接続された導線を後端部まで伸長して設け、前記各々の電極を対向させるとともに当該電極間に感圧材料を挟んでラミネート加工し、前記導線の端部にコネクタを設けて構成することを特徴とした、請求項１に記載の脳圧排圧測定装置。
【発明の詳細な説明】
【技術分野】
【０００１】  本発明は、脳外科手術を行なう際において、脳組織を脳ヘラで圧排するときの圧排圧を測定して当該圧排圧をモニタ表示するとともに、予め設定された圧排圧を超えたときにアラームを発することができる、脳圧排圧測定装置に関するものである。
【背景技術】
【０００２】  従来、脳外科手術で脳患部の手術を行う場合、頭蓋骨に穴を開け、該穴を通して手術が行なわれている。該手術において、患部が脳の内深部にある場合等には、手術を行ない易くすべく脳ヘラを用いて脳組織を圧排し、視野及び空間を確保している。このとき、脳組織を長時間圧排したり強く圧迫し過ぎると、脳浮腫や脳挫傷などの合併症が起こることがある。【０００３】  上記脳ヘラによる脳組織の圧排圧は術者の経験に委ねられていることが多いが、圧排圧を数値化してモニタ表示できる装置も開発されている。例えば、特開平０９−１０３４３５号公報の「発明の名称：脳ベラ固定装置」では、脳ヘラに歪ゲージを固着し、該歪ゲージから出る信号を変換器に入力し、顕微鏡内のモニタに圧排圧を数値表示させる装置について記載されている。なお、前記歪ゲージの固着位置は特に明記されていないものの、図から脳ヘラの中央より後ろと判断される。また、特開平０９−３２７４４１号公報の「発明の名称：脳べら圧測定用受圧部」では、脳ヘラの先端部に薄く柔軟で無伸縮性の材料でなる袋をベルトで固定するとともに、該袋に配管されたチューブを圧力計に接続し、前記袋内に封入した空気圧を圧排圧として計測表示させることが記載されている。【０００４】
【特許文献１】特開平０９−１０３４３５
【特許文献２】特開平０９−３２７４４１
【発明の開示】
【発明が解決しようとする課題】
【０００５】  しがしながら、上記特開平０９−１０３４３５号公報記載の装置は、歪ゲージの固着位置が脳ヘラの中央より後ろにあるため、脳ヘラ全体にかかる歪圧を測定しているに過ぎず、脳組織の圧排圧を直接測定することができないという欠点があった。該歪ゲージは、センサ自体に架かる歪圧を測定するセンサのため、脳組織と当接する脳ヘラの先端部に配置して圧迫しても歪が発生せず、正確な測定ができないという欠点もあった。【０００６】  また、特開平０９−３２７４４１号公報記載のものは、上記欠点を解決すべくセンサを脳組織と当接する脳ヘラの先端部に配置して圧排圧を直接測定できるものの、センサ自体が空気を封入した袋のため、その厚みにより視野及び空間の確保が妨げられるという致命的な欠点があった。また、前記袋には空気圧を圧力計に伝達するチューブが接続されているため、術中において当該チューブが邪魔になるという欠点や、熱の影響を受けるため、補正が必要になるという欠点もあった。【０００７】  本発明は、上記様々な欠点を解決するために成されたものであり、脳外科手術を行なう際において、脳組織を脳ヘラで圧排するときの圧排圧を直接測定することができるとともに、従来の脳ヘラと同一形状及び寸法を維持して視野及び空間を確保することができ、さらには熱の影響による補正も不要な、脳圧排圧測定装置を提供することを目的とする。
【課題を解決するための手段】
【０００８】  上記課題を解決するため、本発明の脳圧排圧測定装置は、厚さ約０．２ｍｍ程度のフィルム状の感圧センサを当該感圧センサの厚さと形状を有した溝を脳ヘラの片面に切削して埋設及び接着して形成した感圧センサ付脳ヘラと、前記感圧センサから出る信号を変換して圧排圧を算出し、該圧排圧をモニタ表示するための表示器と、予め設定した圧排圧を超えた場合にアラームを発する警報器と、前記圧排圧の測定データを保存するためのメモリ等を具備した測定装置とにて構成する。【０００９】  上記感圧センサは、上下２層の細長いフィルムから成り、各フィルムの先端部表面には電極を設け、該電極と接続された導線を後端部まで伸長して設け、前記各々の電極を対向させるとともに当該電極間に感圧材料を挟んでラミネート加工し、前記導線の端部にコネクタを設けて構成する。
【発明の効果】
【００１０】  本発明の脳圧排圧測定装置を使用して脳外科手術を行なうようにすれば、脳組織を脳ヘラで圧排するときの圧排圧を感圧センサ付脳ヘラにより直接且つ正確に測定することができるという効果を奏する。また、前記感圧センサ付脳ヘラは従来の脳ヘラと同一形状及び寸法のために視野及び空間を十分確保することができるという効果を奏する。さらには熱の影響による補正も不要のため測定が容易であるという効果も奏する。
【発明を実施するための最良の形態】
【００１１】  本発明を実施するための最良の形態を図を用いて説明する。【００１２】  図１は本発明の脳圧排圧測定装置を構成する測定装置の回路ブロック図及び感圧センサ付脳ヘラとの接続図である。該図に示すように、本発明の脳圧排圧測定装置は、感圧センサ付脳ヘラ１の後端部にあるコネクタ８を、測定装置１０に接続された信号入力用のコネクタ９に接続して構成する。前記感圧センサ付脳ヘラ１は、脳幹部の視野及び空間を確保すべく脳組織を各々反対方向に圧排するため、通常は２本使用する。なお、実際の手術を行う際において、前記感圧センサ付脳ヘラ１は、本願出願人の一人が出願した特開２００２−３４５８２５号公報に記載の「脳ベラ固定装置」等により予め保持させておく必要がある。【００１３】  上記測定装置１０は、感圧センサ付脳ヘラ１内の感圧センサ３から出力されるアナログ信号を入力して信号処理を行うためのＡＭＰ部１１と、該ＡＭＰ部１１から出力されるアナログ信号をデジタル信号に変換するためのＡ／Ｄ変換部１２と、前記デジタル信号をスケーリングして圧排圧を算出したり当該測定装置１０内の各回路ブロックを制御するためのＣＰＵ１３と、該圧排圧をモニタ表示するためのモニタ制御部１５及びＬＣＤモニタ１６と、予め設定した圧排圧を超えた場合にアラームを発するためのアラーム制御部１７及びブザー１８と、前記圧排圧の測定データの保存及び制御プログラムを格納するためのメモリ部１４と、上記各回路ブロックに回路電源を供給するための電源部１９等にて構成する。【００１４】  上記ＬＣＤモニタ１６は、圧排圧の表示のほかに、圧排時間，アラーム設定値，患者名，病名など様々な表示を行うことができ、ＬＥＤや有機ＥＬ等を表示器として使用しても構わない。また、上記ブザー１８は、一般的なマグネチックブザーのほかに、圧電ブザーやスピーカー等を警報器として使用しても構わない。さらに、上記メモリ部１４において、測定データの保存にＵＳＢメモリやＳＤカード等を利用すれば、測定終了後にパソコンに差し替えてデータ集計を行うことができる。なお、電源部１９には通常は商用電源を接続するが、携帯用等の場合にはバッテリー駆動であっても構わない。【００１５】  次に、図２は感圧センサ付脳ヘラに用いる感圧センサの外形図であり、（ａ）は平面図、（ｂ）は側面図である。該図に示すように、感圧センサ３は、上下２層の細長いフィルム５から成り、各フィルム５の先端部表面には電極６を設け、該電極６と接続された導線７を後端部まで伸長して設け、前記各々の電極６を対向させるとともに当該電極間に感圧材料（図示せず）を挟み、厚さ約０．２ｍｍ程度のフィルム状にラミネート加工し、前記導線７の端部にコネクタ８を設けて構成する。【００１６】  上記感圧材料は、２層の電極６間に圧迫力が加わったときに抵抗値が変化するものや静電容量が変化するものなど任意であり、特に限定するものではない。【００１７】  次に、図３は感圧センサ付脳ヘラに用いる脳ヘラ本体の外形図であり、（ａ）は平面図、（ｂ）は（ａ）におけるＡ−Ａ側面断面図である。該図に示すように、感圧センサ付脳ヘラ１は、従来の脳ヘラ２の片面に、埋設する感圧センサ３の厚さと形状を有した溝４を切削し、該溝４内に���記感圧センサ３を接着して構成する。脳ヘラ２は、圧排時において脳組織を抱え込むような形状に曲げるため、感圧センサ３を構成するフィルム５や導線７は、脳ヘラ２と一体となって曲げることができる。【００１８】  図４は上記のようにして構成した、本発明の脳圧排圧測定装置を構成する感圧センサ付脳ヘラの外形図である。脳ヘラ２の形状は図示した形状に限定せず、脳外科手術で多く使用される先端側にテーパー状に細くなるものなど、いかなる形状のものであっても構わない。このとき、感圧センサ３の形状も使用する脳ヘラの形状に合わせて変えても構わない。【００１９】  次に、図５は本発明の脳圧排圧測定装置を構成する感圧センサ付脳ヘラを用いて脳モデルの前頭葉組織及び側頭葉組織を圧排している状態図である。該図に示すように、脳モデル２０内にある前頭葉組織モデル２１と側頭葉組織モデル２２を、圧排し易いように各々の感圧センサ付脳ヘラ１の先端部を曲げ、該感圧センサ付脳ヘラ１に埋設した感圧センサ３の電極６の表面全体で脳組織を抱え込むように当接させて圧排している。なお、実際の手術時においても同様に圧排が行われる。【００２０】  図６は本発明の脳圧排圧測定装置にて測定した脳モデルの前頭葉測定データであり、図７は本発明の脳圧排圧測定装置にて測定した脳モデルの側頭葉測定データである。両図は、上記図５で示す状態で前頭葉組織モデル２１と側頭葉組織モデル２２を感圧センサ付脳ヘラ１で圧排したときの圧迫力を一時間程測定したグラフであるが、前頭葉組織モデル２１では測定開始後約５分程で約２１ｍｍＨｇの圧力を一定保持しており、側頭葉組織モデル２２でも測定開始後約５分程で約３１ｍｍＨｇの圧力を一定保持しており、安定して測定していることが判断できる。【００２１】  以上のようにして、脳組織を脳ヘラで圧排するときの圧排圧を、感圧センサ付脳ヘラ１に埋設した感圧センサ３の電極６の表面全体により直接測定することができるため、正確な圧排圧を測定することができる。また、前記感圧センサ付脳ヘラ１は従来の脳ヘラと同一形状及び寸法のために視野及び空間を十分確保することができる。さらには感圧センサ３の電極６間に挟んだ感圧材料は熱の影響を受けないため、補正も不要であり測定も容易となる。【００２２】
【図面の簡単な説明】
【００２３】
【図１】本発明の脳圧排圧測定装置を構成する測定装置の回路ブロック図及び感圧センサ付脳ヘラとの接続図である。
【図２】感圧センサ付脳ヘラに用いる感圧センサの外形図である。
【図３】感圧センサ付脳ヘラに用いる脳ヘラ本体の外形図である。
【図４】本発明の脳圧排圧測定装置を構成する感圧センサ付脳ヘラの外形図である。
【図５】本発明の脳圧排圧測定装置を構成する感圧センサ付脳ヘラを用いて脳モデルの前頭葉組織及び側頭葉組織を圧排している状態図である。
【図６】本発明の脳圧排圧測定装置にて測定した脳モデルの前頭葉測定データである。
【図７】本発明の脳圧排圧測定装置にて測定した脳モデルの側頭葉測定データである。
【符号の説明】
【００２４】    １  感圧センサ付脳ヘラ
２  脳ヘラ
３  感圧センサ
４  溝
５  フィルム
６  電極
７  導線
８  コネクタ
９  コネクタ
１０  測定装置
１１  ＡＭＰ部
１２  Ａ／Ｄ変換部
１３  ＣＰＵ
１４  メモリ部
１５  モニタ制御部
１６  ＬＣＤモニタ
１７  アラーム制御部
１８  ブザー
１９  電源部
２０  脳モデル
２１  前頭葉組織モデル
２２  側頭葉組織モデル
【図１】
2012210392.tif 000003
【図２】
2012210392.tif 000004
【図３】
2012210392.tif 000005
【図４】
2012210392.tif 000006
【図５】
2012210392.tif 000007
【図６】
2012210392.tif 000008
【図７】
2012210392.tif 000009